(57)【要約】【課題】  ホールド性を向上させた操作性の良い小型の画像記録装置を提供する。【解決手段】  ディスク状の記録媒体を用いる画像記録装置であって、撮像部及びビューファインダ部と記録媒体駆動装置の間に記録媒体の外形形状に沿って空間部を設け、画像記録装置の外形部を凹形状とする。また、凹形状部に操作キーを配置する。【選択図】  図２
2006303677.tif 000002
【特許請求の範囲】
【請求項１】
ディスク状の記録媒体を駆動するための駆動手段と、被写体を撮影するための撮像手段と、ビューファインダからなる画像記録装置であって、前記駆動手段の上部に撮像手段とビューファインダの少なくとも一方が設けられ、前記記録媒体と撮像手段またはビューファインダとの間に凹部を形成することを特徴とする画像記録装置。
【請求項２】
前記凹部は把持部であることを特徴とする請求項１に記載の画像記録装置。
【請求項３】
前記凹部の一部は前記記録媒体と略同心円状をなすことを特徴とする請求項１に記載の画像記録装置。
【請求項４】
前記凹部に操作部材を配置することを特徴とする請求項２または３に記載の画像記録装置。
【発明の詳細な説明】
【技術分野】
【０００１】
本発明は、ディスク状の記録媒体に動画や静止画などの画像情報を記録、再生する装置に関するものである。
【背景技術】
【０００２】
近年、カメラ一体型ＶＴＲ等の電子機器が広く普及しているが、これらの電子機器においては装置の小型化が大きな課題となっている。また、記録媒体としては従来の磁気テープからＤＶＤ−Ｒ、ＤＶＤ−ＲＷといった、ディスク状の光記録媒体を使用した製品も登場してきている。
【０００３】
これらの電子機器を小型化するための形態として、従来片側の側面に撮影画表示用のＬＣＤモニタと電源供給の為のバッテリーパックを上下に配置し、もう一方の側面に撮影記録媒体を挿脱可能な撮影記録媒体駆動部を配置するとともに撮像部及び接眼用ビューファインダを最上部に一列に配置したいわゆる縦型のビデオカメラがあった。
【０００４】
図７、図８に従来の縦型のビデオカメラ装置の外観を示す。図７はビデオカメラ７０１の前方から見た斜視図であり、図８は後方から見た斜視図である。
【０００５】
７０１はカメラ本体、７０２は撮影用レンズ、７０５はズームスイッチ、７０７は図中指の下に配されたスタート／ストップボタン、７０４は撮影時の画像もしくは再生時の画像を表示する為のＬＣＤモニタユニット、７０９は接眼ファインダ、７０６は手を固定する為のグリップベルトを示す。
【０００６】
以上のような構成において、撮影時は図８に示すようにベルト７０６に右手を通してベルト７０６が手の甲に当接するようにカメラ本体７０１を持つ。中指から小指までの３本の指をカメラ本体の前面の略平坦部７０３にかけ、親指はカメラ本体の背面部７０８にあるスタート／ストップボタン７０７の周囲に、人差し指はテレ及びワイド用のズームスイッチ７０５部周辺においた状態で把持する。スタート／ストップボタン７０７を操作するときは親指で、ズームをする時にはズームスイッチ７０５を人差し指でスライドさせて操作する。
【０００７】
また、特開２０００−３３３０６１には少なくとも一部が繰り返し再利用が可能である映像撮影装置が開示されている。その構成中には、不用意に指でレンズを隠すことがないようにするため、キャビネット中央に形成された一段低くなった凹部に配置された記録釦が配置されている。
【特許文献１】特開２０００−３３３０６１
【発明の開示】
【発明が解決しようとする課題】
【０００８】
しかしながら、上記従来例では本体形状が略直方体になるため手で把持しにくく、ホールディング性、操作性がよくないという問題があった。また特許文献のものでは不用意に指でレンズを隠すことがないようにするために凹部を設けているものであり、把持しやすくすべく設けられたのではないものであった。
【０００９】
また、手で掴みやすいように指係り部として本体に突起部を設けることも可能であるが、その場合は外形が大きくなってしまい、縦型のポイントである小型化に相反するものであった。
【課題を解決するための手段】
【００１０】
本発明では、記録媒体としてディスク状の媒体を使う画像記録装置であって、撮像部及びビューファインダ部と記録媒体駆動装置の間に記録媒体の外形形状に沿って空間部を設け、画像記録装置の外形部を凹形状とする。また、凹形状部に操作キーを配置する。
【発明の効果】
【００１１】
本発明によれば、ディスク状の記録媒体を使った小型の画像記録装置であって、撮像部もしくはビューファインダー部と記録媒体駆動装置の間にできる記録媒体と略同心円状の空間部にあわせて映像記録装置の外形部を凹形状とすることで指係り部を形成し、ホールド性を向上させ、把持しやすく操作性の良い小型の画像記録装置を提供することが可能となる。
【発明を実施するための最良の形態】
【００１２】
以下、本発明を実施するための形態に関して説明する。
【実施例１】
【００１３】
以下、実施例を用いて本発明の説明を行う。図１及び図２は本発明を適用したビデオカメラ１０１の外観図であり、図３はそのビデオカメラ１０１の内部構成を模式的に表したレイアウト図である。又、図４は本ビデオカメラ１０１の構成を説明する分解斜視図である。
【００１４】
図３においてディスク駆動装置３０１の上方にレンズユニットを含む撮像部３０２とビューファインダー部３０３が撮像光軸方向に略一直線に配置されている。撮像部３０２とビューファインダー部３０３の上面のデッドスペースを利用しマイクユニット５０８が収められている。ディスク駆動装置３０１の側方には主制御基板３０４を配し、ディスク駆動装置３０１前方には小基板５０４を配している。各コンポーネントは図示しないフレキシブル基板によって主制御基板３０４に接続する。主制御基板３０４の外側は外装カバーを隔てて液晶モニタユニット５１３及びバッテリーパック５１４が上下に配置されている。
【００１５】
図５にディスク駆動装置３０１の平面図を示す。ディスク駆動装置３０１は、ディスク４０１の装着及び保持を行うターンテーブル４０２と、ディスク４０１を回転させる為に回転方向の駆動力を発生するスピンドルモータ４０３と、このスピンドルモータ４０３によって回転操作されるディスク４０１の信号記録面に光ビームを照射し情報信号を記録したり、照射した光ビームがディスク４０１から反射された戻り光を検出して光ディスク４０１に記録された情報信号の読み取りを行う光ピックアップ部４０８と光ピックアップ部４０８をディスク４０１の任意の位置へ搬送するためのリードスクリュー４０９と、ピックアップ部４０８の搬送をするモータ４１２を備えている。ターンテーブル４０２上に載置されたディスク４０１は、中心孔４０５をターンテーブル４０２の中心部に設けたセンタリング部４０４に嵌合させることによって芯出しが図られてターンテーブル４０２と一体に回転するようにクランプされる。
【００１６】
光ディスク４０１の全記録領域を読み出す為には、光ピックアップ部４０８が光ディスクの中心孔４０５付近から外径付近まで移動すればよい。つまり、光ディスクのほぼ半径分だけ移動できれば良く、ディスク駆動装置３０１の全長は、スピンドルモータ４０３の大きさとディスク４０１の半径でほぼ決まり、ディスク装置３０１の一部がディスク４０１の外形からはみ出す形になる。また、ディスク駆動装置３０１の幅は、光ピックアップ部４０８、リードスクリュー４０９とモータ４１２によってほぼ決まり、光ディスク４０１の半径程度の幅に収めることが十分可能である。
【００１７】
以上説明したように、ディスク駆動装置３０１の大きさは幅、全長共に光ディスク４０１の直径よりも小さくすることが容易であり、図５に示すようにディスク装置３０１の投影面積はディスク４０１の投影面積よりもかなり小型化することができる。このため、ビデオカメラの大きさはディスク装置３０１の外形形状ではなく、ディスク４０１の外径によって制限されることになる。
【００１８】
次に、本ビデオカメラの各ユニットの構造とユニット間の関係を図４及び図１，２を用いてより詳細に説明する。図４に示すようにディスク駆動装置３０１は保持板金５０１に取り付けられ、該板金５０１には主制御基板３０４を取り付ける。
【００１９】
ディスク駆動装置３０１は主制御基板３０４に図示しないフレキシブル基板で接続されて通信を行う。機器前方にはリモコン受光素子５０３が実装された小基板５０４が配置され、リモコン受光素子５０３は機器前方に受光指向性を持っている。リモコン受光素子５０３前方の外観は、赤外光透過性樹脂による窓状部材５０５による。
【００２０】
撮像部３０２は、数枚のレンズから成る撮像光学系と、ズーム比の駆動や焦点調節を行うサーボ機構等を収めて成る略円筒状のレンズユニットに、固体撮像素子（ＣＣＤ）と、ＣＣＤを駆動するための回路部品が実装されたプリント基板５０６を固定して成っている。撮像部３０２はレコーダー保持板金５０１に固定されている。
【００２１】
ビューファインダー３０３は、小型の液晶パネルと、該液晶パネルを後方より照射するバックライトを収め、該液晶パネルに映し出された映像を接眼部へ導出する光学系を含んでいる（何れも図示しない）。ビューファインダー３０３は、伸縮式にすることで非使用時の小型化を図る場合もある。尚、ビューファインダー部３０３は後述の外装カバー５０７にビス止めして固定される。
【００２２】
撮像部３０２の上方にはマイクユニット５０８が収められる。マイクユニット５０８は左右一対のマイクエレメントを格納したユニットであり、後述する左右の外装カバー５０７，５０９に狭持されて取り付けるものである。マイクユニット５０８の上面は多数の孔を設けた金属カバー５１０で覆われ、この孔を通して到達した音声をマイクエレメントによって電気信号へ変換し、図示しないケーブルで主制御基板３０４へ送るものである。
【００２３】
外装カバーは左右のユニット５０７、５０９として構成されている。外装カバー５０７、５０９の前面部は撮像部３０２の下部にあたる５０７ａ、５０９ａがディスク４０１とほぼ同心円をなす曲面によってくびれた形状になっている。また、ビューファインダー３０３の下部にあたる５０７ｂ、５０９ｂ部（５０９ｂは不図示）もディスク４０１の外形とほぼ同心円をなす曲面によってくびれた形状となっており、撮影者が手で持った時にちょうど指がひっかかって把持しやすい形状となっている。
【００２４】
撮影者から見て右側の外装カバー５０７には、ディスク駆動装置３０１を覆い、回転軸５１１ａを中心に開閉可能に支持されたディスクカバー５１１が取り付けられる。
【００２５】
又、図２に示すようにズーム比を操作するズームスイッチ２０１と静止画記録ボタン２０２とを一体にしたスイッチユニット２０３を取り付け、機器背面側には画像記録開始ボタン２０４やメニュースイッチ２０５、ディスク取出しスイッチ２０６等が取り付けられている。特に撮影時に頻繁に使用する画像記録開始ボタン２０４はディスクカバーの曲面凹部５０７ｂ、５０９ｂに配置されており、その押圧方向はディスク４０１の回転中心方向となっており親指で無理なく押すことができるとともに、撮影時に親指がかかりやすく操作しやすいように配置してある。
【００２６】
先述のディスク駆動装置３０１及び撮像部３０２のユニットが該外装カバー５０７の内側に固定され、先述のスイッチ類が図示しないフレキシブル基板によって主制御基板３０４に接続される。同様にビューファインダー部３０３も、外装カバー５０７に取り付けられた後、フレキシブル基板によって主制御基板３０４に接続される。一方の左側の外装カバー５０９には、ヒンジ５１２を介して液晶モニタユニット５１３が取り付けられている。液晶モニタユニット５１３は、大型の液晶パネルと、該液晶パネルを後方より照射するバックライトと、液晶パネルの駆動回路やバックライトを点灯するインバーター回路等を実装したプリント基板とを積み重ねてカバーに収めたものである。
【００２７】
ヒンジ５１２は直交する２軸で成り、所謂ハイアングルやローアングル、或は対面撮影等、自由に姿勢を変えることができる。ヒンジ５１２についての詳細は周知のものであるので説明を省略する。
【００２８】
液晶モニタユニット５１３の下方にはバッテリーパック５１４の取り付け部がある。バッテリーパック５１４の取り付け部は、バッテリーパック５１４を着脱自在に固定するフック機構があり、更にバッテリーパック５１４に接触し電力を本体へ導くバッテリー端子が設置されている（何れも不図示）。図２に示すように底面には三脚へ取り付けるためのネジ部５１５が設置されている。
【００２９】
ここで、本ビデオカメラ１０１の使い勝手について説明する。ディスク４０１を装着する時は、ディスク取出しスイッチ２０６を押す。するとディスクカバー５１１のロック機構（不図示）が解除されてディスクカバー５１１が開閉可能な状態となる。ユーザは手でディスクカバー５１１を開き、ディスク４０１の中心孔４０５をターンテーブル４０２の中心部に設けたセンタリング部４０４に嵌合させて装着した後、再びディスクカバー５１１をロックするまで閉じる。
【００３０】
撮影時は、ディスクカバー５１１付近を手のひらで覆うようにし、人差し指をズームスイッチ近傍２０１に、又、親指を動画記録開始ボタン２０４近傍に各々添え、残りの中指、薬指、小指の３本は機器前方を掴むようにして本機１０１を把持して使用する。（図６）
前述のように動画記録ボタン２０４は、ディスク４０１と略同心円の曲面凹部上に配置されているので親指が自然な姿勢で乗り、無理なく動画記録ボタン２０４を操作することができる。また、ビデオカメラ１０１を把持した状態では機器前方の曲面凹部５０７ａ、５０９ａにちょうど中指、薬指かかるため手に力が入りやすくホールド性が格段に向上する。
【００３１】
本実施例ではビデオカメラ本体の前後に設けた凹部に指を引っ掛けるように持つことで、安定してビデオカメラ本体を把持することが可能となっているが、さらにホールド性を高める為に、従来例にて説明したように機器の前方から後方へベルトを渡し、右手をベルトにくぐらせる構成とすることも当然可能である。
【００３２】
そして、撮像部３０２を被写体方向へ向けて本機１０１を構え、ビューファインダー３０３や液晶モニタ５１３を用いて画像を確認しながら撮影できる。又、撮像部３０２の上方に設置したマイクユニット５０８によって、周囲の音声を録音できる。
【図面の簡単な説明】
【００３３】
【図１】本発明のビデオカメラの前方斜視図である。
【図２】本発明のビデオカメラの後方斜視図である。
【図３】本発明のビデオカメラの構成を示す概略図である。
【図４】本発明のビデオカメラの分解斜視図である。
【図５】本発明のディスク駆動装置の概略図である。
【図６】本発明のビデオカメラの使用形態を示す斜視図である。
【図７】従来のビデオカメラの前方斜視図である。
【図８】従来のビデオカメラの後方斜視図である。
【符号の説明】
【００３４】
１０１  ビデオカメラ本体
２０１  ズームスイッチ
２０２  静止画記録ボタン
２０３  スイッチユニット
２０４  動画記録開始ボタン
３０１  ディスク駆動装置
３０２  撮像部
３０３  ビューファインダー部
３０４  主制御基板
４０２  ターンテーブル
４０３  スピンドルモータ
４０８  光ピックアップ部
４０９  リードスクリュー
５０１  保持板金
５０３  リモコン受光素子
５０５  窓部材
５０６  プリント基板
５０７  外装カバー
５０８  マイクユニット
５０９  外装カバー
５１１  ディスクカバー
５１２  ヒンジ
５１３  液晶モニタユニット
５１４  バッテリーパック
【図１】
2006303677.tif 000003
【図２】
2006303677.tif 000004
【図３】
2006303677.tif 000005
【図４】
2006303677.tif 000006
【図５】
2006303677.tif 000007
【図６】
2006303677.tif 000008
【図７】
2006303677.tif 000009
【図８】
2006303677.tif 000010